(57)【特許請求の範囲】
【請求項１】
マニュアル操作により入力された未検出の公衆移動通信網を含む任意の公衆移動通信網を登録する公衆移動通信網登録部と、
該公衆移動通信網登録部に登録された未検出の公衆移動通信網を含む任意の公衆移動通信網から、マニュアル操作により指定された公衆移動通信網を選択する公衆移動通信網選択部と
を有する、携帯端末装置。
【請求項２】
請求項１に記載の携帯端末装置において、
マニュアル操作により所定の公衆移動通信網以外の他の公衆移動通信網が選択され、
前記公衆移動通信網選択部は、前記マニュアル操作により前記未検出の公衆移動通信網の指定が行われる場合に、前記所定の公衆移動通信網を自動的に選択しない、携帯端末装置。
【請求項３】
請求項１に記載の携帯端末装置において、
マニュアル操作により、前記公衆移動通信網登録部に登録された公衆移動通信網から指定されるべき公衆移動通信網を予約する予約登録部
を有し、
前記公衆移動通信網選択部は、前記予約登録部により予約された公衆移動通信網を選択する、携帯端末装置。
【請求項４】
マニュアル操作により所定の公衆移動通信網以外の他の公衆移動通信網が選択されている場合に、該所定の公衆移動通信網を検出する携帯端末装置であって、
電源がオンにされた際に、再度マニュアル操作により公衆移動通信網が指定されるまで、前記所定の公衆移動通信網を検出する公衆移動通信網検出部と、
該公衆移動通信網検出部により検出された所定の公衆移動通信網を、自動的に選択する公衆移動通信網選択部
を有する、携帯端末装置。
【請求項５】
マニュアル操作により入力された未検出の公衆移動通信網を含む任意の公衆移動通信網を登録する公衆移動通信網登録ステップと、
該公衆移動通信網登録ステップにより登録された未検出の公衆移動通信網を含む任意の公衆移動通信網から、マニュアル操作により指定された公衆移動通信網を選択する公衆移動通信網選択ステップと
を有する、方法。
【請求項６】
マニュアル操作により所定の公衆移動通信網以外の他の公衆移動通信網が選択されている場合に、該所定の公衆移動通信網を検出する携帯端末装置における方法であって、
電源がオンにされた際に、再度マニュアル操作により公衆移動通信網が指定されるまで、前記所定の公衆移動通信網を検出する公衆移動通信網検出ステップと、
該公衆移動通信網検出部により検出された所定の公衆移動通信網を、自動的に選択する公衆移動通信網選択ステップ
を有する、方法。
【発明の詳細な説明】
【技術分野】
【０００１】
本発明は、携帯端末装置に関する。
【背景技術】
【０００２】
携帯端末装置には、契約国以外の国で使用することが可能なものもある。契約国以外の国で使用可能とされる場合、契約国のオペレータと、契約国以外のオペレータとがローミング契約がされていることもある。オペレータにより提供される無線通信方式には、GSM(Global System for Mobile Communications)、WCDMA(Wideband Code Division Multiple Access)が含まれる。さらに、LTE (Long Term Evolution)が含まれてもよい。
【０００３】
携帯端末装置は、ホームの公衆移動通信網(PLMN: public land mobile network)又はホームに相当する公衆移動通信網(Equivalent PLMN)上で動作する。該携帯端末装置が公衆移動通信網を選択する。該公衆移動通信網を選択する動作として、自動モード(Automatic mode)と手動モード(Manual mode)の2種類の選択方法が規定されている。自動モードでは、優先度順に並べられたPLMNのリストが利用される。利用可能であり、且つ利用が許可されたPLMNのうち、最も優先度の高いPLMNが選択される。手動モードでは、携帯端末装置はユーザに利用可能なPLMNを示す。ユーザが手動で選択した場合のみ、該携帯端末装置は該選択されたPLMNでサービスを得ようとする。
【０００４】
自動モードによりPLMNが選択される場合について説明する。
【０００５】
図１は、携帯端末装置の電源がオンにされてから、位置登録が行われるまでの処理の一例を示す。
【０００６】
携帯端末装置の電源がオンにされる（ステップＳ１２）。
【０００７】
該携帯端末装置は、セルサーチ(Cell Search)を行う（ステップＳ１４）。該携帯端末装置は、利用可能な周波数帯、在圏候補とすべきセルを検出する。該セルサーチは、バンドサーチ(Band Search)と呼ばれてもよい。
【０００８】
該携帯端末装置は、PLMNの選択(PLMN Selection)を行う（ステップＳ１６）。該携帯端末装置は、ステップＳ１４により検出されたセルから、当該携帯端末装置により利用可能とされるPLMNを選択する。例えば、携帯端末装置には、USIM(Universal Subscriber Identity Module)カードが装着される。該USIMカードには、オペレータと契約した電話番号、該オペレータにより記憶されるべき他のオペレータのPLMNに接続する際の優先順位が記憶される。該優先順位に従ってPLMNが選択される場合、優先順位が同じPLMNについては、該携帯端末装置は、電界強度が規定値以上のPLMNからランダムに選択する。また、該携帯端末装置は、規定値以上の電界強度のPLMNが存在しない場合には、信号レベルが高いPLMNから順に選択する。
【０００９】
該携帯端末装置は、セル選択(Cell Selection)を行う（ステップＳ１８）。該携帯端末装置は、ステップＳ１６により選択されたPLMNからの報知情報から、当該携帯端末装置により利用可能とされるセルの候補を検出する。
【００１０】
該携帯端末装置は、位置登録(Location Registration)を行う（ステップＳ２０）。該携帯端末装置は、ステップＳ１８により検出されたセルから、位置登録すべきセルを選択し、該選択されたセルに位置登録を行う。
【００１１】
マニュアルモードによりPLMNが選択される場合について説明する。
【００１２】
マニュアルモードか、オートモードかによらず、電源オン時、または圏外からの復帰時は、前回位置登録したPLMNをまず選択する。オートモードでは前回位置登録したPLMNがない場合は、別のPLMNを自動で選択する。マニュアルモードでは、その後、ユーザによりマニュアルで別のPLMNを選ぶことは可能である。
【００１３】
マニュアルモードでは、PLMNを選択する時に、検出されたPLMNのみを一覧で表示し、ユーザが一覧から１つを選択する。未検出のPLMNは選択できない。
【先行技術文献】
【非特許文献】
【００１４】
【非特許文献１】3GPP TS23.122 V9.2.0, 2010 03
【発明の概要】
【発明が解決しようとする課題】
【００１５】
契約国で、携帯端末装置が在圏すべきPLMNを選択する際の処理については3GPPの標準規格に規定されている。
【００１６】
しかし、契約国以外の非契約国で、携帯端末装置がPLMNを選択する際の処理については規定されていない。例えば、該携帯端末装置は、ランダムに接続すべきPLMNを選択する。ランダムに接続すべきPLMNを選択し、該PLMNに在圏した場合、該PLMNにおける通信品質がよいとは限らない。
【００１７】
また、例えば、該携帯端末装置を操作することにより、マニュアルでネットワークを選択することもできる。しかし、マニュアル操作で、ネットワークを選択する処理が行われた後に、契約国に戻ってきた場合、非契約国において位置登録したPLMN、該PLMNと同等のPLMN（Equivalent PLMN）以外は、自動で位置登録できない。従って、ユーザは、マニュアル操作により、契約国におけるHPLMNを選択しなければならない。マニュアル操作によりネットワークが選択された後、ユーザが自動モードに切替えた場合は、異なるPLMNに位置登録可能である。
【００１８】
本発明は、上述した問題点に鑑みてなされたものであり、その目的は、海外ローミング後、契約国に戻ってきた場合に、自動的に、ホームのネットワークを選択できるようにすることである。
【課題を解決するための手段】
【００１９】
本携帯端末装置は、
マニュアル操作により入力された未検出の公衆移動通信網を含む任意の公衆移動通信網を登録する公衆移動通信網登録部と、
該公衆移動通信網登録部に登録された未検出の公衆移動通信網を含む任意の公衆移動通信網から、マニュアル操作により指定された公衆移動通信網を選択する公衆移動通信網選択部と
を有する。
【００２０】
本携帯端末装置は、
マニュアル操作により所定の公衆移動通信網以外の他の公衆移動通信網が選択されている場合に、該所定の公衆移動通信網を検出する携帯端末装置であって、
電源がオンにされた際に、再度マニュアル操作により公衆移動通信網が指定されるまで、前記所定の公衆移動通信網を検出する公衆移動通信網検出部と、
該公衆移動通信網検出部により検出された所定の公衆移動通信網を、自動的に選択する公衆移動通信網選択部と
を有する。
【００２４】
本方法は、
マニュアル操作により入力された未検出の公衆移動通信網を含む任意の公衆移動通信網を登録する公衆移動通信網登録ステップと、
該公衆移動通信網登録ステップに登録された未検出の公衆移動通信網を含む任意の公衆移動通信網から、マニュアル操作により指定された公衆移動通信網を選択する公衆移動通信網選択ステップと
を有する。
【００２５】
本方法は、
マニュアル操作により所定の公衆移動通信網以外の他の公衆移動通信網が選択されている場合に、該所定の公衆移動通信網を検出する携帯端末装置における方法であって、
電源がオンにされた際に、再度マニュアル操作により公衆移動通信網が指定されるまで、前記所定の公衆移動通信網を検出する公衆移動通信網検出ステップと、
該公衆移動通信網検出ステップにより検出された所定の公衆移動通信網を、自動的に選択する公衆移動通信網選択ステップと
を有する。
【発明の効果】
【００２９】
開示の実施例によれば、海外ローミング後、契約国に戻ってきた場合に、自動的に、ホームのネットワークを選択できる。
【図面の簡単な説明】
【００３０】
【図１】位置登録までの処理の一例を示すフローチャートである。
【図２】本実施例に従った携帯端末装置が適用されるシステムの一例を示す説明図である。
【図３】本実施例に従った携帯端末装置を示すハードウェアの一例を示す構成図である。
【図４】本実施例に従った携帯端末装置の一例を示す機能ブロック図である。
【図５】本実施例に従った携帯端末装置のセルサーチの一例を示すフローチャートである。
【図６】本実施例に従った携帯端末装置の動作の一例（その１）を示すフローチャートである。
【図７】本実施例に従った携帯端末装置の動作の一例（その２）を示すフローチャートである。
【図８】本実施例に従った携帯端末装置の動作の一例（その３）を示すフローチャートである。
【図９】本実施例に従った携帯端末装置の動作の一例（その４）を示すフローチャートである。
【発明を実施するための形態】
【００３１】
次に、本発明を実施するための形態を、以下の実施例に基づき図面を参照しつつ説明する。
なお、実施例を説明するための全図において、同一機能を有するものは同一符号を用い、繰り返しの説明は省略する。
【００３２】
＜実施例＞
＜システム＞
本実施例に従った携帯端末装置１００が適用されるシステムについて説明する。
【００３３】
図２は、本携帯端末装置１００が適用されるシステムの一例を示す。
【００３４】
該システムには、携帯端末装置１００が含まれる。該システムには、基地局２００ｍ（ｍは、ｍ＞０の整数）が含まれる。図２には、一例として、ｍ＝２の場合が示される。少なくとも２の電気通信事業者（以下、「オペレータ」という）のそれぞれは、複数の基地局２００ｍのうちの幾つかを運営している。例えば、基地局２００１と、基地局２００２は、異なるオペレータにより運営されている。例えば、各基地局２００ｍが属するPLMNを運営する少なくとも２のオペレータの移動国コード(MCC: Mobile Country Code)は同じであるが、移動ネットワークコード(MNC: Mobile Network Code)は異なっていてもよい。また、例えば、各基地局２００ｍが属するPLMNを運営する少なくとも２のオペレータの移動国コードは異なっていてもよい。各基地局２００ｍは、異なる国に位置していてもよい。
【００３５】
以下、一例として、各基地局２００ｍは、異なる国に位置する場合について説明する。図２に示される例では、基地局２００１は契約国に設置され、基地局２００２は非契約国に設置される。以下、「ネットワーク」と「PLMN」とは同義に使用される場合もある。
【００３６】
＜本携帯端末装置＞
図３は、本実施例に従った携帯端末装置１００を示す。図３には、主にハードウェア構成が示される。
【００３７】
本携帯端末装置１００は、入力部１０２と、出力部１０４と、通信制御部１０６と、無線部１０８と、記憶部１１０と、中央演算処理装置(CPU:  Central Processing Unit)１１２とを有する。各機能ブロックは、バス１５０により接続される。本実施例では、一例として、携帯端末装置１００について説明される。携帯端末装置１００に限らず、国際ローミングが可能な端末装置であれば適用できる。例えば、携帯情報端末(PDA:  Personal  Digital  Assistants)などに適用できる。
【００３８】
中央演算処理装置１１２は、入力部１０２、出力部１０４、通信制御部１０６、無線部１０８、及び記憶部１１０の制御を行う。中央演算処置装置１１２は、記憶部１１０に記憶されたプログラムに従って機能し、所定の処理を行う。
【００３９】
記憶部１１０は、アプリケーションと、オペレーティングシステム(OS:  Operating  System)とを有する。アプリケーションは、ユーザが本携帯端末装置１００上で実行する作業を実施する機能を有するソフトウェアである。オペレーティングシステムは、本携帯端末装置１００において、ハードウェアを抽象化したインターフェースをアプリケーションソフトウェアに提供するソフトウェアである。
【００４０】
入力部１０２は、例えば、キーボードやマウスにより構成され、当該携帯端末装置１００への指示や、データの入力を行うための装置である。また、入力部１０２は、例えば、マイクにより構成され、ユーザにより発せられた音声を入力する。該音声には、当該携帯端末装置１００への指示が含まれてもよい。該指示には、オペレーティングシステムに対するものや、アプリケーションに対するものが含まれる。
【００４１】
出力部１０４は、例えば、ディスプレイにより構成され、当該携帯端末装置１００による処理状態や処理結果を表示する。また、出力部１０４は、例えば、スピーカにより構成され、ユーザに対して、音を出力するようにしてもよい。該処理状態や処理結果には、オペレーティングシステムやアプリケーションによるものが含まれる。ディスプレイには、液晶ディスプレイ(Liquid Crystal Display :LCD)、CRT(Cathode Ray Tube)ディスプレイ、プラズマディスプレイ(PDP: Plasma Display Panel)、有機EL(Electro-Luminescence)ディスプレイなどが含まれる。
【００４２】
通信制御部１０６は、当該携帯端末装置１００を接続すべきネットワークと接続するための制御情報を生成し、また、接続すべき基地局により送信された制御情報を解析する。また、通信制御部１０６は、無線部１０８により受信されるべき信号に基づいて、周波数帯測定を行う。該周波数帯測定は、周波数帯サーチ（検索）とも呼ばれてもよいし、セルサーチと呼ばれてもよい。
【００４３】
無線部１０８は、中央演算処理装置１１２による制御により、基地局２００ｍとの間で、所定の無線通信方式により無線通信を行う。該無線通信方式には、GSM、W-CDMAが含まれる。また、LTEや、LTEの次世代の無線通信方式が含まれてもよい。例えば、通信制御部１０６により生成された制御情報を無線信号に変換して送信する。また、基地局２００ｍからの無線信号をベースバンド信号に変換する。
【００４４】
＜本携帯端末装置＞
これまでの携帯端末装置１００は、マニュアル操作により契約国において契約されたネットワーク以外の非契約国のネットワークを指定して選択した場合、Equivalent PLMN以外は、異なるPLMNに、自動的に切替えることができなかった。従って、非契約国から契約国に戻ってきても、自動的に、ホームPLMNに切替えることはできなかった。またマニュアル操作により、PLMNを選択する際に、その場にない未検出のPLMNは選択できなかった。
【００４５】
本携帯端末装置１００は、マニュアル操作によりネットワークの選択が実施される場合、その場にない未検出のPLMNを含む任意のPLMNを登録できる。本携帯端末装置１００は、その場にない未検出のPLMNを含む任意のPLMNから、所望のPLMNを指定し、選択できる。また、マニュアル操作によりネットワークの選択が実施される場合、次回以降の選択に利用するために、その場にない未検出のPLMNを含む任意のPLMNを登録できる。また、海外ローミングアウトの際にマニュアル操作によりネットワークの選択が実施された後、契約国に戻ってきた場合においてマニュアル操作によりネットワークを選択しなくても、ホームネットワークを自動的に選択する。
【００４６】
本携帯端末装置１００により実行される処理には、当該携帯端末装置１００に差し込まれている（装着されている）カードに保存されている移動国コードと、当該携帯端末装置１００が受信した報知チャネルに含まれる移動国コードとが同じであるかどうかを判定する処理が含まれる。該カードは、契約者情報を記録したICカードである。USIMであってもよい。以下、一例として、USIMカードが差し込まれている例について示す。該カードが、USIM以外の名称で呼ばれてもよい。
【００４７】
また、本携帯端末装置１００により実行される処理には、当該携帯端末装置１００に差し込まれているUSIMカードに保存されている移動国コードと、報知チャネルに含まれる移動国コードとが同じでない場合に、マニュアル操作により選択されたネットワークを選択する処理が含まれる。
【００４８】
また、本携帯端末装置１００により実行される処理には、当該携帯端末装置１００に差し込まれているUSIMカードに保存されている移動国コードと、報知チャネルに含まれる移動国コードとが同じである場合に、ホームネットワークを自動的に選択する処理が含まれる。
【００４９】
＜ホームネットワークの選択方法（その１）＞
本携帯端末装置１００は、マニュアル操作によりネットワークが選択される際に、その場では検出されていない海外等のPLMNを含む、任意の未検出PLMNを登録できる。ユーザは、該任意の未検出PLMNから、マニュアル選択できる。PLMNが選択される際には、該PLMNは圏外となってもよい。登録されるPLMNは、未検出のPLMNのみとしてもよい。また、マニュアル操作で検出したPLMNを確認した後で、続いて必要に応じて未検出のPLMNの登録、または選択を行ってもよい。任意の未検出PLMNの登録と選択が同時に行われてもよい。登録されたPLMNが検出されたPLMNに含まれていた場合は、PLMNを重複して表示してもよいし、検出していることを表示してもよい。
【００５０】
＜ホームネットワークの選択方法（その２）＞
本携帯端末装置１００は、電源がオンにされた場合に、PLMNがマニュアル選択されている場合には、契約国において契約されたネットワークをサーチする。該契約されたネットワークのEquivalent PLMNを含めてサーチするようにしてもよい。電源オン時にマニュアル選択されているPLMNが圏外の時のみ、契約国にて契約されたネットワークをサーチしてもよい。しかし、その場では検出していない未検出のPLMNがマニュアル選択されている場合には、契約国において契約されたネットワークをサーチしないようにしてもよい。契約国にて契約されたネットワークを選択後もマニュアルモードを維持してもよい。契約国にて契約されたネットワークがサーチした結果発見されなくても、契約国において契約されたネットワークを選択してもよい。
【００５１】
＜ホームネットワークの選択方法（その３）＞
本携帯端末装置１００は、非契約国において、マニュアル操作により指定された契約国において契約されたネットワーク以外の非契約国のネットワークを選択し、その後契約国に戻ってきた場合、電源オン後、契約されたネットワークをサーチする。該契約されたネットワークのEquivalent PLMNを含めてサーチするようにしてもよい。電源オン時にマニュアル選択されているPLMNが圏外の時のみ、契約国にて契約されたネットワークをサーチしてもよい。再度マニュアル操作によるネットワーク選択が実施された後は、契約されたネットワークのサーチを止めて、サーチしないようにしてもよい。契約国にて契約されたネットワークを選択後もマニュアルモードを維持してもよい。契約国にて契約されたネットワークがサーチした結果発見されなくても、契約国において契約されたネットワークを選択してもよい。
【００５２】
＜ホームネットワークの選択方法（その４）＞
本携帯端末装置１００は、非契約国において、マニュアル操作により指定された契約国において契約されたネットワーク以外の非契約国のネットワークを選択した後、圏外となった場合、周期的に契約されたネットワークをサーチする。契約国において契約されたネットワークには、ホームPLMNが含まれる。本携帯端末装置１００は、契約されたネットワークが発見された場合、自動的に、該契約されたネットワークを選択する。該契約されたネットワークのEquivalent PLMNを含めてサーチするようにしてもよい。契約国にて契約されたネットワークを選択後もマニュアルモードを維持してもよい。契約国にいて契約されたネットワークがサーチした結果発見されなくても、契約国において契約されたネットワークを選択してもよい。
【００５３】
＜ホームネットワークの選択方法（その５）＞
本携帯端末装置１００は、契約国で、マニュアル操作により、契約されたネットワーク以外のネットワークを選択している場合、契約されたネットワークのサーチは行わないようにしてもよい。しかし、本携帯端末装置１００は、非契約国で、マニュアル操作によりネットワークが選択された場合には、契約されたネットワークをサーチし、契約されたネットワークが発見された場合には、自動的に、該契約されたネットワークを選択する。契約国において契約されたネットワークには、ホームPLMNが含まれる。
【００５４】
＜ホームネットワークの選択方法（その６）＞
本携帯端末装置１００は、マニュアル操作によりネットワークが選択された場合に、その場では検出していない海外等のPLMNを含む、任意の未検出PLMNを予約登録できるようにしてもよい。さらに、マニュアル操作により、予約登録されたPLMNから、予約選択できるようにしてもよい。予約選択された場合に、次回に電源がオンにされた場合など、特定の契機で、該予約登録されたPLMNを自動で選択されるようにしてもよい。例えば、予約登録は日時を指定することにより行われてもよい。
【００５５】
＜ホームネットワークの選択方法（その７）＞
本携帯端末装置１００は、マニュアル操作によりネットワークが選択された場合に、電源オン後圏外の場合、または一定時間圏外の場合、選択されていない任意のネットワークをサーチし、検出されたPLMNから、契約国である場合は、契約国にて契約されたネットワークが発見されない場合も、契約されたネットワークを自動で選択する。契約国にいて契約されたネットワークを選択後もマニュアルモードを維持してもよい。
【００５６】
＜本携帯端末装置の機能＞
図４は、本携帯端末装置１００の機能を示す機能ブロック図である。図４には、中央演算処理装置１１２により実行される機能が主に示される。
【００５７】
本携帯端末装置１００は、移動国コード判定部１１２２を有する。該移動国コード判定部１１２２には、当該携帯端末装置１００に差し込まれたUSIMカードに記憶された移動国コードが入力される。また、USIMカードには、ホーム公衆移動通信網(Home PLMN)を表す情報が格納される。さらに、USIMカードには、ホームに相当する公衆移動通信網(Equivalent PLMN)表す情報が格納されてもよい。また、該移動国コード判定部１１２２には、当該携帯端末装置１００により受信された報知チャネルに含まれる移動国コードが入力される。該移動国コードは、報知チャネルのマスターインフォメーションブロック(MIB: Master Information Block)に含まれるものであってもよい。該移動国コード判定部１１２２は、USIMカードに記憶された移動国コードと、報知チャネルに含まれる移動国コードとが同じであるかどうかを判定する。該移動国コード判定部１１２２は、マニュアルPLMN候補中設定部１１３０、及びホーム公衆移動通信網検出部１１２８に、USIMカードに記憶された移動国コードと、報知チャネルに含まれる移動国コードとが同じであるかどうかの判定結果を入力する。
【００５８】
本携帯端末装置１００は、操作モード設定部１１２４を有する。該操作モード設定部１１２４には、操作モード選択信号が入力される。該操作モード選択信号は、ユーザがマニュアルモード（手動モード）又はオートモード（自動モード）を選択することにより入力される。該操作モード設定部１１２４は、操作モード選択信号に従って、操作モードを設定する。操作モード選択信号がオートモードを示すものである場合、操作モード設定部１１２４は、オートモードに設定する。操作モード設定部１１２４は、マニュアルPLMN候補中設定部１１３０に、オートモードに設定されたことを通知する。操作モード選択信号がマニュアルモードを示すものである場合、操作モード設定部１１２４は、マニュアルモードに設定する。操作モード設定部１１２４は、マニュアルPLMN候補中設定部１１３０に、マニュアルモードに設定されたことを通知する。
【００５９】
本携帯端末装置１００は、公衆移動通信網選択部１１２６を有する。公衆移動通信網選択部１１２６には、マニュアルPLMN候補中設定部１１３０から、マニュアル操作により入力された公衆移動通信網が通知される。公衆移動通信網選択部１１２６は、マニュアルPLMN候補中設定部１１３０からの公衆移動通信網を選択する。公衆移動通信網選択部１１２６は、操作モード設定部１１２４によりマニュアルモードに設定されている場合には、マニュアルPLMN候補中設定部１１３０により入力された公衆移動通信網を選択するようにしてもよい。
【００６０】
また、公衆移動通信網選択部１１２６は、操作モード設定部１１２４によりオートモードに設定された場合には、自動的に公衆移動通信網を選択するようにしてもよい。例えば、電界強度に基づいてネットワークを選択するようにしてもよい。
【００６１】
本携帯端末装置１００は、ホーム公衆移動通信網検出部１１２８を有する。該ホーム公衆移動通信網検出部１１２８は、移動国コード判定部１１２２、及びマニュアルPLMN候補中設定部１１３０と接続される。該ホーム公衆移動通信網検出部１１２８には、通信制御部１０６から、利用可能な周波数帯を示す情報と、接続候補をすべきセルを表す情報とが入力される。
【００６２】
該ホーム公衆移動通信網検出部１１２８は、操作モード設定部１１２４によりマニュアルモードが設定された場合に、ホーム公衆移動通信網を検出する。例えば、該ホーム公衆移動通信網検出部１１２８は、通信制御部１０６からの、利用可能な周波数帯を示す情報と、接続候補をすべきセルを表す情報と基づいて、ホーム公衆移動通信網を検出する。該ホーム公衆移動通信網検出部１１２８は、ホーム公衆移動通信網が検出された場合、マニュアルPLMN候補中設定部１１３０に、ホーム公衆移動通信網が検出されたことを通知する。マニュアルPLMN候補中設定部１１３０は、公衆移動通信網選択部１１２６に、ホーム公衆移動通信網が検出されたことを通知する。公衆移動通信網選択部１１２６は、マニュアルPLMN候補中設定部１１３０による通知に応じて、ホーム公衆移動通信網を選択する。
【００６３】
本携帯端末装置１００は、マニュアルPLMN候補中設定部１１３０を有する。該マニュアルPLMN候補中設定部１１３０は、操作モード設定部１１２４と接続される。該マニュアルPLMN候補中設定部１１３０は、操作モード設定部１１２４により入力されるべき設定操作モード情報に基づいて、マニュアルモードに設定されている場合、マニュアル操作により選択されるべきPLMNの候補を設定する。マニュアルPLMN候補中設定部１１３０は、公衆移動通信網選択部１１２６に、マニュアル操作により入力された公衆移動通信網を表す情報を入力する。また、マニュアルPLMN候補中設定部１１３０は、ホーム公衆移動通信網が検出されたことが通知された場合、公衆移動通信網選択部１１２６に通知する。
【００６４】
本携帯端末装置１００は、マニュアルPLMN任意設定部／予約設定部１１３２を有する。該マニュアルPLMN任意設定部／予約設定部１１３２は、マニュアルPLMN候補中設定部１１３０、及び公衆移動通信網選択部１１２６と接続される。該マニュアルPLMN任意設定部／予約設定部１１３２は、PLMNを登録する。登録できるPLMNには、任意の未検出のPLMNが含まれてもよい。例えば、海外のPLMNが含まれる。また、該マニュアルPLMN任意設定部／予約設定部１１３２は、登録されたPLMNから、予約登録された公衆移動通信網を表す情報を公衆移動通信網選択部１１２６に入力する。
【００６５】
＜ホームネットワークの選択方法（その１）＞
マニュアル操作によりネットワークが選択される場合に、マニュアルPLMN任意設定部／予約設定部１１３２により登録された任意PLMNからマニュアル操作により指定されたPLMNが、マニュアルPLMN候補中設定部１１３０から公衆移動通信網選択部１１２６に入力される。公衆移動通信網選択部１１２６は、マニュアル操作により指定されたPLMNを選択する。マニュアルPLMN任意設定部／予約設定部１１３２には、その場では検出されていない海外等のPLMNを含む、任意の未検出PLMNが登録される。
【００６６】
＜ホームネットワークの選択方法（その２）＞
ホーム公衆移動通信網検出部１１２８は、本携帯端末装置１００の電源がオンにされた場合に、契約国において契約されたネットワークをサーチし、契約されたネットワークが発見された場合に、マニュアルPLMN候補中設定部１１３０に通知する。マニュアルPLMN候補中設定部１１３０は、公衆移動通信網選択部１１２６に、契約されたネットワークが発見されたことを通知する。契約国において契約されたネットワークには、ホームPLMNが含まれる。公衆移動通信網選択部１１２６は、マニュアルPLMN候補中設定部１１３０からの通知により、自動的に、該契約されたネットワークを選択する。しかし、PLMN選択時に未検出の公衆移動通信網をマニュアル選択が行われていた場合は、前記所定の公衆移動通信網を、自動的にマニュアルで選択しないようにしてもよい。該契約されたネットワークのEquivalent PLMNを含めてサーチするようにしてもよい。
【００６７】
＜ホームネットワークの選択方法（その３）＞
マニュアルモードが設定されている状態において、非契約国においてマニュアル操作により契約国において契約されたネットワーク以外の非契約国のネットワークが指定されて選択された後、電源オン後、該指定されたネットワークが圏外である、または圏内であった場合に、ホーム公衆移動通信網検出部１１２８は、契約されたネットワークをサーチして、契約されたネットワークが発見された場合に、マニュアルPLMN候補中設定部１１３０に通知する。マニュアルPLMN候補中設定部１１３０は、公衆移動通信網選択部１１２６に、契約されたネットワークが発見されたことを通知する。契約国において契約されたネットワークには、ホームPLMNが含まれる。公衆移動通信網選択部１１２６は、マニュアルPLMN候補中設定部１１３０からの通知により、自動的に、該契約されたネットワークを選択する。契約されたネットワークが発見されない場合には、該契約されたネットワークを継続してサーチせず、再度マニュアルネットワーク選択が行われた以降は、該契約されたネットワークをサーチしない。
【００６８】
＜ホームネットワークの選択方法（その４）＞
マニュアルモードが設定されている状態において、非契約国においてマニュアル操作により契約国において契約されたネットワーク以外の非契約国のネットワークが指定されて選択された後、圏外となった場合、ホーム公衆移動通信網検出部１１２８は、契約されたネットワークを周期的にサーチして、契約されたネットワークが発見された場合に、マニュアルPLMN候補中設定部１１３０に通知する。マニュアルPLMN候補中設定部１１３０は、公衆移動通信網選択部１１２６に、契約されたネットワークが発見されたことを通知する。契約国において契約されたネットワークには、ホームPLMNが含まれる。公衆移動通信網選択部１１２６は、マニュアルPLMN候補中設定部１１３０からの通知により、自動的に、該契約されたネットワークを選択する。該契約されたネットワークのEquivalent PLMNを含めてサーチするようにしてもよい。
【００６９】
＜ホームネットワークの選択方法（その５）＞
契約国で、マニュアルモードが設定されている状態において、マニュアル操作により、契約されたネットワーク以外のネットワークが選択されている場合、ホーム公衆移動通信網検出部１１２８は、契約されたネットワークのサーチは行わない。しかし、ホーム公衆移動通信網検出部１１２８は、非契約国で、マニュアル操作によりネットワークが選択された後に、契約されたネットワークが発見された場合には、契約されたネットワークをサーチし、マニュアルPLMN候補中設定部１１３０に通知する。マニュアルPLMN候補中設定部１１３０は、公衆移動通信網選択部１１２６に、契約されたネットワークが発見されたことを通知する。契約国において契約されたネットワークには、ホームPLMNが含まれる。公衆移動通信網選択部１１２６は、マニュアルPLMN候補中設定部１１３０からの通知により、自動的に、該契約されたネットワークを選択する。
【００７０】
＜ホームネットワークの選択方法（その６）＞
マニュアル操作によりネットワークが選択される際に、マニュアルPLMN任意設定部／予約設定部１１３２に登録された公衆移動通信網から、その場では検出していない海外等のPLMNを含む、任意の未検出PLMNを事前に予約登録する。予約時のPLMNは変更されない。電源がオンにされた後など、予約指定した契機で、公衆移動通信網選択部１１２６は、予約されたPLMNをマニュアル選択する。予約指定される契機までは、継続して現時点のPLMNを使用し続ける。
【００７１】
＜ホームネットワークの選択方法（その７）＞
マニュアルPLMN候補中設定部１１３０は、マニュアル操作によりネットワークが選択された場合に、電源オン後圏外の場合、または一定時間圏外の場合、選択されていない任意のネットワークをサーチする。公衆移動通信網選択部１１２６は、検出されたPLMNから、契約国である場合は、契約国にいて契約されたネットワークが発見されない場合も、契約されたネットワークを自動で選択する。契約国にいて契約されたネットワークを選択後もマニュアルモードを維持してもよい。
【００７２】
＜本携帯端末装置の動作＞
＜セルサーチ＞
図５は、本携帯端末装置１００の動作の一例を示すフローチャートである。図５には、電源がオンにされた場合のセルサーチが示される。
【００７３】
本携帯端末装置１００の電源がオンにされる（ステップＳ５０２）。
【００７４】
本携帯端末装置１００は、セルサーチを行う（ステップＳ５０４）。例えば、前回接続した際に在圏した国のオペレータの周波数バンド及び／又は周波数帯をサーチするようにしてもよい。通信制御部１０６は、セルサーチの際に、設定されるべき周波数バンド及び／又は周波数帯、及び／又は無線アクセス方式をサーチする。該セルサーチの際に使用される無線アクセス方式は、2Gであってもよいし、3Gであってもよい。さらに、LTE、LTEの次世代の無線通信方式であってもよい。利用可能な周波数帯と、接続候補とすべきセルとを検出できる確率が高い観点からは、前回無線接続していた無線アクセス方式であるのが好ましい。
【００７５】
本携帯端末装置１００は、セルサーチにより検出された利用可能な周波数帯を示す情報と、在圏候補とすべきセルを示す情報とに基づいて、利用可能な周波数帯と、在圏候補とすべきセルとを設定する（ステップＳ５０６）。
【００７６】
＜公衆移動通信網選択処理（その１）＞
図６は、本携帯端末装置１００による公衆移動通信網を選択する処理の一例を示す。
【００７７】
本携帯端末装置１００は、マニュアルモードに設定されている。
【００７８】
本携帯端末装置１００の電源がオンにされる（ステップＳ６０２）。
【００７９】
本携帯端末装置１００は、前回位置登録した公衆移動通信網、またはユーザがマニュアル選択した公衆移動通信網を選択する（ステップＳ６０４）。例えば、公衆移動通信網選択部１１２６は、前回位置登録した公衆移動通信網、またはユーザがマニュアル選択した公衆移動通信網を選択する。
【００８０】
本携帯端末装置１００は、圏外かどうかを判定する（ステップＳ６０６）。
【００８１】
圏外であると判定した場合（ステップＳ６０６：ＹＥＳ）、本携帯端末装置１００は、ホーム公衆移動通信網をサーチする（ステップＳ６０８）。例えば、ホーム公衆移動通信網検出部１１２８は、ホーム公衆移動通信網をサーチする。
【００８２】
本携帯端末装置１００は、ホーム移動通信網が検出されたかどうかを判定する（ステップＳ６１０）。
【００８３】
ホーム移動通信網が検出されたと判定された場合（ステップＳ６１０：ＹＥＳ）、本携帯端末装置１００は、ホーム公衆移動通信網を自動的に選択する（ステップＳ６１２）。例えば、公衆移動通信網選択部１１２６は、ホーム公衆移動通信網を自動的に選択する。
【００８４】
本携帯端末装置１００は、セル選択を行う（ステップＳ６１４）。例えば、ステップＳ６１２により選択されたネットワークからの報知情報から、利用可能なセルの候補を検出する。
【００８５】
本携帯端末装置１００は、位置登録を行う（ステップＳ６１６）。例えば、ステップＳ６１４により検出されたセルに位置登録を行う。
【００８６】
ステップＳ６０６により圏外でないと判定された場合（ステップＳ６０６：ＮＯ）、本携帯端末装置１００は、選択された公衆移動通信網を選択する（ステップＳ６１８）。
【００８７】
ステップＳ６１８により公衆移動通信網が選択された後、又はステップＳ６１０によりホーム移動通信網が検出されなかった場合（ステップＳ６１０：ＮＯ）、本携帯端末装置１００は、圏外であると判定する（ステップＳ６２０）。
【００８８】
＜公衆移動通信網選択処理（その２）＞
図７は、本携帯端末装置１００による公衆移動通信網を選択する処理の一例を示す。
【００８９】
本携帯端末装置１００は、マニュアルモードに設定されている。
【００９０】
本携帯端末装置１００は、マニュアルモードで選択されていた訪問公衆移動通信網(VPLMN: Visited PLMN)又はマニュアル操作により選択された訪問移動通信網を選択する（ステップＳ７０２）。例えば、公衆移動通信網選択部１１２６は、訪問公衆移動通信網を選択する。
【００９１】
本携帯端末装置１００は、セル選択を行う（ステップＳ７０４）。例えば、ステップＳ７０２により選択されたネットワークからの報知情報から、利用可能なセルの候補を検出する。
【００９２】
本携帯端末装置１００は、位置登録を行う（ステップＳ７０６）。例えば、ステップＳ７０４により検出されたセルに位置登録を行う。
【００９３】
本携帯端末装置１００は、位置登録を行ったセルの圏外となる。
【００９４】
本携帯端末装置１００は、一定時間圏外であったかどうかを判定する（ステップ７０８）。例えば、通信制御部１０６は、在圏基地局との間の通信状態に基づいて、圏外かどうかを判定する。例えば、通信制御部１０６は、在圏基地局との間の通信品質に基づいて、圏外かどうかを判定するようにしてもよい。本携帯端末装置１００は、圏外である時間を計測し、圏外となってから一定時間経過したかどうかを判定する。
【００９５】
一定時間圏外であると判定されない場合（ステップＳ７０８：ＮＯ）、ステップＳ７０８に戻る。圏外である時間の計測を継続する。
【００９６】
一定時間圏外であると判定された場合（ステップＳ７０８：ＹＥＳ）、本携帯端末装置１００は、ホーム公衆移動通信網をサーチする（ステップＳ７１０）。例えば、ホーム公衆移動通信網検出部１１２８は、通信制御部１０６により一定の時間圏外であると判定された場合、ホーム移動通信網をサーチする。例えば、ホーム公衆移動通信網検出部１１２８は、通信制御部１０６により入力されるべき利用可能な周波数帯を示す情報と、在圏候補とすべきセルを示す情報とに基づいて、ホーム移動通信網を検出する。
【００９７】
本携帯端末装置１００は、ホーム公衆移動通信網が検出されたかどうかを判定する（ステップＳ７１２）。例えば、ホーム公衆移動通信網検出部１１２８は、ホーム公衆移動通信網が検出されたかどうかを判定する。
【００９８】
ホーム移動通信網が検出されたと判定された場合（ステップＳ７１２：ＹＥＳ）、本携帯端末装置１００は、ホーム公衆移動通信網を自動的に選択する（ステップＳ７１４）。例えば、ホーム公衆移動通信網検出部１１２８は、ホーム公衆移動通信網を検出した場合、マニュアルPLMN候補中設定部１１３０に通知する。マニュアルPLMN候補中設定部１１３０は、公衆移動通信網選択部１１２６に、ホーム公衆移動通信網が検出されたことを通知する。公衆移動通信網選択部１１２６は、マニュアルPLMN候補中設定部１１３０による通知に応じて、ホーム公衆移動通信網を選択する。
【００９９】
一方、ステップＳ７１２によりホーム移動通信網が検出されないと判定された場合（ステップＳ７１２：ＮＯ）、ステップＳ７０８に戻る。一定時間圏外であったかどうかを判定する。圏内に戻っている可能性があるためである。
【０１００】
本携帯端末装置１００は、セル選択を行う（ステップＳ７１６）。例えば、ステップＳ７１４により選択されたホームネットワークからの報知情報から、利用可能なセルの候補を検出する。
【０１０１】
本携帯端末装置１００は、位置登録を行う（ステップＳ７１８）。例えば、ステップＳ７１６により検出されたセルに位置登録を行う。
【０１０２】
＜公衆移動通信網選択処理（その３）＞
図８は、本携帯端末装置１００による公衆移動通信網を選択する処理の一例を示す。
【０１０３】
本携帯端末装置１００は、マニュアルモードに設定されている。
【０１０４】
本携帯端末装置１００の電源がオンにされる（ステップＳ８０２）。
【０１０５】
本携帯端末装置１００は、前回位置登録した公衆移動通信網、またはユーザがマニュアル選択した公衆移動通信網を選択する（ステップＳ８０４）。例えば、公衆移動通信網選択部１１２６は、前回位置登録した公衆移動通信網、またはユーザがマニュアル選択した公衆移動通信網を選択する。
【０１０６】
本携帯端末装置１００は、圏外かどうかを判定する（ステップＳ８０６）。
【０１０７】
圏外であると判定した場合（ステップＳ８０６：ＹＥＳ）、本携帯端末装置１００は、契約国であるかどうかを判定する（ステップＳ８０８）。例えば、移動国コード判定部１１２２は、契約国であるかどうかを判定する。
【０１０８】
契約国でないと判定した場合（ステップＳ８０８：ＮＯ）、本携帯端末装置１００は、ホーム公衆移動通信網をサーチする（ステップＳ８１０）。例えば、ホーム公衆移動通信網検出部１１２８は、ホーム公衆移動通信網をサーチする。
【０１０９】
本携帯端末装置１００は、ホーム移動通信網が検出されたかどうかを判定する（ステップＳ８１２）。
【０１１０】
ホーム移動通信網が検出されたと判定された場合（ステップＳ８１２：ＹＥＳ）、本携帯端末装置１００は、ホーム公衆移動通信網を自動的に選択する（ステップＳ８１４）。例えば、公衆移動通信網選択部１１２６は、ホーム公衆移動通信網を自動的に選択する。
【０１１１】
本携帯端末装置１００は、セル選択を行う（ステップＳ８１６）。例えば、ステップＳ８１２により選択されたネットワークからの報知情報から、利用可能なセルの候補を検出する。
【０１１２】
本携帯端末装置１００は、位置登録を行う（ステップＳ８１８）。例えば、ステップＳ８１６により検出されたセルに位置登録を行う。
【０１１３】
ステップＳ８０６により圏外でないと判定された場合（ステップＳ８０６：ＮＯ）、本携帯端末装置１００は、選択された公衆移動通信網を選択する（ステップＳ８２０）。
【０１１４】
ステップＳ８２０により公衆移動通信網が選択された後、ステップＳ８０８により契約国であると判定された場合（ステップＳ８０８：ＹＥＳ），又はステップＳ８１２によりホーム移動通信網が検出されなかった場合（ステップＳ８１２：ＮＯ）、本携帯端末装置１００は、圏外であると判定する（ステップＳ８２２）。
【０１１５】
＜公衆移動通信網選択処理（その４）＞
図９は、本携帯端末装置１００による公衆移動通信網を選択する処理の一例を示す。
【０１１６】
本携帯端末装置１００は、マニュアルモードに設定されている。
【０１１７】
本携帯端末装置１００は、予約登録がされているかどうかを判定する（ステップＳ９０２）。例えば、マニュアルPLMN任意設定部／予約設定部１１３２は、登録された公衆移動通信網に含まれる公衆移動通信網の予約がされているかどうかを判定する。
【０１１８】
予約登録がされていると判定された場合（ステップＳ９０２：ＹＥＳ）、本携帯端末装置１００は、指定されたタイミングで予約登録された公衆移動通信網を選択する（ステップＳ９０４）。例えば、公衆移動通信網選択部１１２６は、予約登録された公衆移動通信網を自動的に選択する。指定されたタイミング以前は、変更されない。
【０１１９】
予約登録がされていないと判定された場合（ステップＳ９０２：ＮＯ）、本携帯端末装置１００は、マニュアル操作により指定された公衆移動通信網を選択する（ステップＳ９０６）。マニュアル操作により公衆移動通信網が選択される場合に、任意の未検出のPLMNを登録できるようにしてもよい。
【０１２０】
本携帯端末装置は、
マニュアル操作により入力された未検出の公衆移動通信網を含む任意の公衆移動通信網を登録するマニュアルPLMN任意設定部／予約設定部としての、公衆移動通信網登録部と、
該公衆移動通信網登録部に登録された未検出の公衆移動通信網を含む任意の公衆移動通信網から、マニュアル操作により指定された公衆移動通信網を選択する公衆移動通信網選択部と
を有する。
【０１２１】
さらに、
マニュアル操作により所定の公衆移動通信網以外の他の公衆移動通信網が選択され、
前記公衆移動通信網選択部は、前記マニュアル操作により前記未検出の公衆移動通信網の指定が行われていない場合に、前記所定の公衆移動通信網を自動的に選択する。
【０１２２】
本携帯端末装置は、
マニュアル操作により所定の公衆移動通信網以外の他の公衆移動通信網が選択されている場合に、該所定の公衆移動通信網を検出する携帯端末装置であって、
電源がオンにされた際に、前記マニュアル操作により公衆移動通信網が指定されるまで、前記所定の公衆移動通信網を検出するホーム公衆移動通信網検出部としての、公衆移動通信網検出部と、
該公衆移動通信網検出部により検出された所定の公衆移動通信網を、自動的に選択する公衆移動通信網選択部
を有する。
【０１２３】
本携帯端末装置は、
マニュアル操作により所定の公衆移動通信網以外の他の公衆移動通信網が選択されている場合に、該所定の公衆移動通信網を検出する携帯端末装置であって、
圏外となった場合に、周期的に前記所定の公衆移動通信網を検出するホーム公衆移動通信網検出部としての、公衆移動通信網検出部と、
該公衆移動通信網検出部により検出された所定の公衆移動通信網を、自動的に選択する公衆移動通信網選択部と
を有する。
【０１２４】
本携帯端末装置は、
マニュアル操作により所定の公衆移動通信網以外の他の公衆移動通信網が選択されている場合に、該所定の公衆移動通信網を検出する携帯端末装置であって、
前記所定の公衆移動通信網に対応する以外の国で、マニュアル操作により前記所定の公衆移動通信網以外の他の公衆移動通信網が選択されていた場合に、前記所定の公衆移動通信網を検出するホーム公衆移動通信網検出部としての、公衆移動通信網検出部と、
該公衆移動通信網検出部により検出された所定の公衆移動通信網を、自動的に選択する公衆移動通信網選択部と
を有する。
【０１２５】
さらに、
マニュアル操作により、前記公衆移動通信網登録部に登録された公衆移動通信網から指定されるべき公衆移動通信網を予約するマニュアルPLMN任意設定部／予約設定部としての、予約登録部
を有し、
前記公衆移動通信網選択部は、前記予約登録部により予約された公衆移動通信網を選択する。
【０１２６】
本携帯端末装置は、
マニュアル操作により公衆移動通信網が選択されている場合に、発見されていない特定の公衆移動通信網を検出する公衆移動通信網検出部と、
該公衆移動通信網検出部により検出された公衆移動通信網を自動で選択する公衆移動通信網選択部と
を有する。
【０１２７】
さらに、
電源オン時に、所定の契約公衆移動通信網に対応する契約国かどうかを識別する移動国コード判定部
を有し、
前記公衆移動通信網選択部は、契約国では発見されていない特定の公衆移動通信網を、自動で選択する。
【０１２８】
本方法は、
マニュアル操作により入力された未検出の公衆移動通信網を含む任意の公衆移動通信網を登録する公衆移動通信網登録ステップと、
該公衆移動通信網登録ステップにより登録された未検出の公衆移動通信網を含む任意の公衆移動通信網から、マニュアル操作により指定された公衆移動通信網を選択する公衆移動通信網選択ステップと
を有する。
【０１２９】
本方法は、
マニュアル操作により所定の公衆移動通信網以外の他の公衆移動通信網が選択されている場合に、該所定の公衆移動通信網を検出する携帯端末装置における方法であって、
電源がオンにされた際に、前記マニュアル操作により公衆移動通信網が指定されるまで、前記所定の公衆移動通信網を検出する公衆移動通信網検出ステップと、
該公衆移動通信網検出部により検出された所定の公衆移動通信網を、自動的に選択する公衆移動通信網選択ステップ
を有する。
【０１３０】
本方法は、
マニュアル操作により所定の公衆移動通信網以外の他の公衆移動通信網が選択されている場合に、該所定の公衆移動通信網を検出する携帯端末装置における方法であって、
圏外となった場合に、周期的に前記所定の公衆移動通信網を検出する公衆移動通信網検出ステップと、
該公衆移動通信網検出ステップにより検出された所定の公衆移動通信網を、自動的に選択する公衆移動通信網選択ステップと
を有する。
【０１３１】
本方法は、
マニュアル操作により所定の公衆移動通信網以外の他の公衆移動通信網が選択されている場合に、該所定の公衆移動通信網を検出する携帯端末装置における方法であって、
前記所定の公衆移動通信網に対応する以外の国で、マニュアル操作により前記所定の公衆移動通信網以外の他の公衆移動通信網が選択されていた場合に、前記所定の公衆移動通信網を検出する公衆移動通信網検出ステップと、
該公衆移動通信網検出ステップにより検出された所定の公衆移動通信網を、自動的に選択する公衆移動通信網選択ステップと
を有する。
【０１３２】
本方法は、
マニュアル操作により公衆移動通信網が選択されている場合に、発見されていない特定の公衆移動通信網を検出する公衆移動通信網検出ステップと、
該公衆移動通信網検出ステップにより検出された公衆移動通信網を自動で選択する公衆移動通信網選択ステップと
を有する。
【０１３３】
説明の便宜上、発明の理解を促すため具体的な数値例を用いて説明されるが、特に断りのない限り、それらの数値は単なる一例に過ぎず適切な如何なる値が使用されてよい。
【０１３４】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウェアで、ソフトウェアで又はそれらの組み合わせで実現されてもよい。本発明は上記実施例に限定されず、本発明の精神から逸脱することなく、様々な変形例、修正例、代替例、置換例等が包含される。
【符号の説明】
【０１３５】
１００  携帯端末装置
１０２  入力部
１０４  出力部
１０６  通信制御部
１０８  無線部
１１０  記憶部
１１２  中央演算処理装置(CPU: Central Processing Unit)
１１２２  移動局コード判定部
１１２４  操作モード設定部
１１２６  公衆移動通信網選択部
１１２８  ホーム公衆移動通信網検出部
１１３０  マニュアルPLMN候補中設定部
１１３２  マニュアルPLMN任意設定部／予約設定部
２００ｍ（ｍは、ｍ＞０の整数）  基地局
【図１】
0005425040.tif 000002
【図２】
0005425040.tif 000003
【図３】
0005425040.tif 000004
【図４】
0005425040.tif 000005
【図５】
0005425040.tif 000006
【図６】
0005425040.tif 000007
【図７】
0005425040.tif 000008
【図８】
0005425040.tif 000009
【図９】
0005425040.tif 000010